(57)【特許請求の範囲】
【請求項１】
ストライクＹに対向して引戸１に取り付けられる引戸錠の施錠機構であり、該施錠機構は、閉戸時、進退動部材１１がストライクＹに当たり後退すると、動力変換機構１７，２１を介して鎌片２０の先端部２４が、その支軸２２を中心に回転進出してストライクＹと完全な掛合状態になる引戸錠の施錠機構に於いて、前記施錠機構は、錠ケース４の後壁４ａの内壁を上下方向に摺接すると共に、その上端部に錠ケース４のフロント５側に延設する頭部を有する縦長のスライド操作片３０と、このスライド操作片３０の下端部に係合すると共に、その先端部の爪部４４が前記鎌片２０の前記支軸２２を中心に形成された扇形状幅広後端部２５の尻部の連続的な係合歯２７に係合するように縦長のスライド操作片３０の下端部近傍に固定軸４２を介して軸支されたガタ防止用係止爪片４０と、縦長のスライド操作片３０の上端部の近傍に設けられたバネ取付け支軸５２に一端部が取付けられ、かつ他端部が縦長のスライド操作片３０の上端部に取付けられたクリック機能を有するバネ部材５１とから成り、閉戸時に前記縦長のスライド操作片３０が下方方向へスライドすると、前記ガタ防止用係止爪片４０は前記固定軸４２を支点にして水平或いはやや斜めの状態になるように鎌片２０の後方側から回転して、かつ建具のチリ設定に対応して前記鎌片２０の係合歯２７に選択的に係合することを特徴とする引戸錠の施錠機構。
【請求項２】
請求項１に於いて、鎌片２０Ａの幅広後端部２５には、尻部の連続的な係合歯２７の他に、該係合歯２７から非係合歯部分を境にして係合歯２７に比してややピッチが小さい連続的な第２係合歯２８が尻部寄りの部位に形成されていることを特徴とする引戸錠の施錠機構。
【請求項３】
ストライクＹに対向して引戸１に取り付けられる引戸錠の施錠機構であり、該施錠機構は、閉戸時、進退動部材１１がストライクＹに当たり後退すると、動力変換機構１７，２１を介して鎌片２０Ａの先端部２４が回転進出してストライクＹと完全な掛合状態になり、この時錠ケース４に軸支され、かつ、爪部４４を有するガタ防止用係止爪片４０が、錠ケース４に上下動可能に内装されたスライド操作片３０の移動により、鎌片２０の後端部に形成した連続的な係合歯２７に係合し、さらに、この時既に鎌片２０Ａの後端部寄りの部位に形成した連続的な第２係合歯２８に、錠ケース４に軸支された可動片６０の係合爪６１が係合していることを特徴とする引戸錠の施錠機構。
【請求項４】
請求項３に於いて、錠ケース４内には、可動片６０にかかった分力を吸収するショック吸収ばね６８を有する緩衝部材６５が配設されていることを特徴とする引戸錠の施錠機構。
【発明の詳細な説明】
【０００１】
【発明の属する分野】
本発明は、引戸錠の施錠機構に関する。
【０００２】
【従来の技術】
従来、動力変換機構の一部を有する水平トリガーが水平移動すると、鎌片がこれに連動して回転する構成は、例えば特開平８−８６１３２号公報に記載されている。この公報には、引戸の閉戸時のトリガー機構と共に、鎌片に対する本施錠機構の構成も記載されている。この本施錠機構は、錠ケースに内装されたスライド操作片が移動すると、これにより錠ケースに軸支された係止片が鎌片の後端部に係合するように回転し、ストライクに掛合した鎌片をロックする構成である。
【０００３】
さて、引戸錠の施錠機構における本施錠は、引戸の閉戸時、完全に突出した鎌片の後端部に、錠ケースに軸支された係止片の係止部を、間接的に回転係止させる構成である。
【０００４】
ところで、このように係止片が鎌片の後端部に係止した時、普通一般に係止片の係合部と係止片の後端部との間には、若干の間隙が設けられている。この間隙が引戸の開く方向の「ガタ」を発生させる要因となっている。そこで、現在、引戸錠施錠機構に於いて、特に本施錠時に、引戸のガタツキを防止することができる錠の出現が要望されている。そして、技術的目的を、このような「ガタツキ防止」に設定した場合、例えばストライクの受板と引戸錠のフロントとの間に所定のチリを設定した時においても、引張り方向のガタツキ防止を可能な限り防止することが望まれる。
【０００５】
【発明が解決しようとする課題】
本発明は、従来の実施例の有する問題点に鑑み、施錠機構を構成する部品点数を極力必要最低限に削減し、かつ、簡単な機構と合理的手投によって、特に本施錠時に於いて、引戸の引張り方向のガタツキ防止を図ることを目的とする。この場合、望ましくは精密なガタツキ防止を図ることを目的とする。そして、ストライクの受板と引戸錠のフロントとの間に所定のチリ（例えば３ｍｍ以内の隙間）を設定した範囲内においても、本施錠時にチリに対応して係合爪片が鎌片の後端部に確実に係合してガタツキ防止を図ることを目的とする。
【０００６】
【課題を解決するための手段】
本発明の引戸錠の施錠機構は、ストライクＹに対向して引戸１に取り付けられる引戸錠の施錠機構であり、該施錠機構は、閉戸時、進退動部材１１がストライクＹに当たり後退すると、動力変換機構１７，２１を介して鎌片２０の先端部２４が、その支軸２２を中心に回転進出してストライクＹと完全な掛合状態になる引戸錠の施錠機構に於いて、前記施錠機構は、錠ケース４の後壁４ａの内壁を上下方向に摺接すると共に、その上端部に錠ケース４のフロント５側に延設する頭部を有する縦長のスライド操作片３０と、このスライド操作片３０の下端部に係合すると共に、その先端部の爪部４４が前記鎌片２０の前記支軸２２を中心に形成された９０度以上の扇形状幅広後端部２５の尻部の連続的な係合歯２７に係合するように縦長のスライド操作片３０の下端部近傍に固定軸４２を介して軸支されたガタ防止用係止爪片４０と、縦長のスライド操作片３０の上端部の近傍に設けられたバネ取付け支軸５２に一端部が取付けられ、かつ他端部が縦長のスライド操作片３０の上端部に取付けられたクリック機能を有するバネ部材５１とから成り、閉戸時に前記縦長のスライド操作片３０が下方方向へスライドすると、前記ガタ防止用係止爪片４０は前記固定軸４２を支点にして水平或いはやや斜めの状態になるように鎌片２０の後方側から回転して、かつ建具のチリ設定に対応して前記鎌片２０の係合歯２７に選択的に係合することを特徴とする。
【０００７】
【発明の実施の形態】
図１乃至図５により本発明の実施形態に基づく第１実施例を説明する。まず発明の実施の環境について説明する。Ｘは引戸錠で、この引戸錠Ｘは引戸１に取り付けられている。一方、Ｙは戸枠２に取り付けられたストライクで、このストライクＹは受板３を有する。
【０００８】
次に引戸錠Ｘを構成する部材について説明する。４は引戸１の縦框に内装された錠ケースで、該錠ケース４も引戸錠Ｘの一部を成す。５は錠ケース４の開口部側に固定されたフロントで、フロント５は、普通一般に錠ケース４の蓋板６に固定されている。７はフロント５並びに蓋板６に形成された進退動部材用窓、８は鎌片用出入口である。なお、錠ケース４には、幾つかの軸孔、進退動部材を水平方向に案内するガイド部、スライド操作片を垂直方向に案内する部材などが設けられているが、発明の特定要件との関係では細部的事項なので説明を割愛する。
【０００９】
さて、本発明の特定要件は、本施錠時に於いて、ガタツキ防止を図るため、係止片が上下動可能なスライド操作部材のスライドによって回転し、鎌片の後退をロックする構成である。したがって、仮施錠時において、鎌片の後退を、錠ケースに軸支されたラッチング的係合部材によって図る構成（仮施錠機構）は、必ずしも本発明の特定要件ではない。
【００１０】
したがって、この明細書に於いて、「施錠機構」とは、閉戸時、進退動部材の水平突出杆がストライクの受板に当たり後退し、これにより鎌片の先端部が回転進出してストライクと掛合状態になり、この時錠ケース内に軸支されたガタ防止用係合片が、スライド操作片を介して鎌片の後退を阻止するように鎌片の後端部に自動的に係合することを言う。そこで、本発明の施錠機構を構成する各部材について説明する。
【００１１】
まず１１は錠ケース４内に摺動自在に装着された進退動部材である。この進退動部材１１は、本実施例ではトリガー機能を有する水平突出杆である。
【００１２】
この進退動部材としての水平突出杆１１は、閉戸時、ストライクＹの受板３に当接する当接面を有する先端部１２と、この先端部１２に水平方向に連設する後端部１３とを有し、前記後端部１３にはバネ用支持穴１５が形成されている。しかして、１７は水平突出杆１１の下部側壁に形成された動力変換機構の一部（本実施例ではラック）である。進退動部材１１は、錠ケース４の図示しない第１水平案内部や第２水平案内部に適宜に組込まれ、所定の範囲にて水平動可能である。また水平突出杆１１は、前述したバネ用支持穴１５に付勢バネ１８が組込まれるので、該先端部１２が常時錠ケース４から突出するように付勢されている。前記付勢バネ１８は、引戸１の閉戸時に、水平突出杆１１の先端部１２がストライクＹの受枚３の前面に突き当たると収縮し始める。
【００１３】
次に２０は鎌片である。鎌片２０は、基部に動力変換機構の一部（ピニオン）２１を備えると共に、錠ケース４内に支軸２２を介して軸支され、かつ、進退動部材１１の後退動に連動してストライクＹと掛合する方何へ回転する。鎌片２０は、ピニオン２１を有する基部２３、ストライクＹの受板３と係合する鉤状先端部２４、該先端部に連設する幅広後端部２５を有する。
【００１４】
しかして、前記幅広後端部２５の尻部には、ラチェット状の複数個の係合歯、本実施例では合計３個の係合歯２７が連続的に形成されている。
【００１５】
次に３０は錠ケース４内に上下方向に摺動自在に設けられた任意形状のスライド操作板である。このスライド操作板３０は、閉戸時、本施錠をする時に図示しない操作摘みを操作すると下降する。
【００１６】
図１を基準にしてスライド操作板３０の形状について説明する。３１は縦長のスライド本体部で、このスライド本体部３１は、右側端部に直交方向に連設形成された単数又は複数個の垂直ガイド突壁３２を有する。この垂直ガイド突壁３２は、錠ケース４の後壁４ａの内壁面と摺接可能である。
【００１７】
３３はスライド本体部３１の上端部から左側に突起状に延設された頭部で、この頭部には矩形状の取付け孔３４が形成されている。この取付け孔３４には、図示しない摘みタイプの操作片が一体的に取付けられる。したがって、この取付孔３４の位置関係を考慮し、錠ケース４の側壁４ｂには、図示しない縦長状の開口が形成されている。
【００１８】
一方、３５はスライド本体部３１の下端部に形成された縦方向の被係合部（縦溝、縦切欠部、縦係合窓など）で、この被係合部３５には、ガタ防止用係止爪片４０の係合後端部（例えば係合ピン、係合突起などを有する。）４１が係合する。
【００１９】
前記ガタ防止用係止爪片４０は、スライド本体部３１の下端部を案内する機能を有する固定軸４２に軸支され、例えばスライド本体部３１が下降すると、被係合部としての係合窓３５の上縁が係止ピン４１を押圧するので、固定軸４２を支点に係合方向へと回転する（図５参照）。この時スライド操作板３０が容易に上昇しないようにバネ部材５１のバネ力がスライド操作板３０に作用している。前記バネ部材５１は、本実施例では端部が錠ケース４に固定したバネ取付用支軸５２及びスライド操作板３０の頭部３３に形成した突起にそれぞれ取付けられたメガネ状バネを採用している。このスライド操作板用のバネ５１は、クリック機能を有し、スライド操作板３０が上下動すると、バネ中央部の付置が左右に切り替わる。
【００２０】
なお、スライド操作板３０の形状は任意に設計変更可能であり、また望ましくは錠ケース４に複数又は単数のガイドピンを設けて摺動させることができる。
【００２１】
上記構成に於いて、図１が解錠状態である。引戸１はストライクＹから離れている。この場合進退動部材１１は付勢バネ１８のバネ力により矢印Ａ方向へ進出し、その結果、その進退動部材１１がフロント５から突出し、一方、鎌片２０は錠ケース４内に後退している。この時解錠状態であるから、スライド操作板３０は上方の初期位置にある。またガタ防止用係止爪片４０の係合後端部（本実施例では係合ピンを有している。）４１が、前記スライド操作板３０の被係合部（本実施例では対縦長係合窓である。）３５に持ち上げられた状態で係合している。そのため、スライド操作板３０の係合先端部４４は、鎌片２０から離れている（図４参照）。
【００２２】
次に図２は鎌片３０が完全に突出した閉戸時の状態である。但し、施錠状態ではない。この時、引戸１或いは引戸錠Ｘのフロント５は、ストライクＹの受板３に対して設定したチリ（例えば３ｍｍ程度の間隙））ａの分だけ離れている。
【００２３】
図２に於いて、鎌片２０の鉤状先端部２４は、ラック１７とピニオン２１との関係により、回転進出してストライクＹと完全な掛合状態になっている。このような状態に於いて、スライド操作片３０が下方へ下降し、いわゆる本施錠状態となったのが図３である。図３は、スライド操作片３０の下降によりガタ防止用係止爪片４０が矢印（時計）方向へ回転し、その結果、鎌片２０の後退が阻止された状態を示している。
【００２４】
すなわち、スライド操作片３０が矢印で示すようにストレートに下降すると、前述したように係合窓３５の上縁が係止ピン４１を押圧するので、係止爪片４０は固定軸４２を支点に係合（時計）方向へと回転し、その係合先端部４４が鎌片２０の即座に係合可能な係合歯２７の一つに係合する。このように係止爪片４０は、チリに対応して鎌片２０の後退を阻止するので、引戸１の引張り方向のガタ防止が図られる。
【００２５】
【実施例】
この欄では、本発明の主要部の変形例（２個）と、本発明の利用発明（１個）と、係合爪片４０を係合方向へ回転させる設計変形例を示す。すなわち、図６乃至図９は、鎌片とガタ防止用係止爪片４との係合関係の異なる実施例であり、一方、図１０及び図１１は、本発明の利用発明の実施例であり、図１２はスライド操作板３０を下降された場合に係止爪片４０が自動的に係合方向へと回転する実施例である。以下、これらの各実施例の説明に当って、第１実施例と同一の部分には、同一又は同様の符号を付して重複する説明を省略する。
【００２６】
図６及び図７の主要部の第２実施例に於いて、前記第１実施例と主に異なる点は、ガタ防止の精度を高めるために係合歯２７Ａのピッチを小さく形成したこと、及び係合爪片４０が係合歯２７Ａから外れた場合に於いても、係合爪片４０を確実に受け止めることができるように、後端部寄りの部位に突堤部５５を形成したことである。
【００２７】
前記係合歯２７Ａのピッチについては、図４と図６を比較すれば明らかである。すなわち、第１実施例の連続的な３個の係合歯２７は、それぞれの位置で係合爪片４０の係合先端部４４が確実に係合するように、係合爪片４０の爪部の大きさや角度に対応して「ある程度ピッチを大きめに設定」してあるので、第２実施例のように前記突堤部５５を必ずしも設ける必要がない。
【００２８】
これに対し、第２実施例の連続的な５個の係合歯２７Ａは、係合爪片４０の爪部４４の大きさに比して、いわゆるピッチが浅いので、引戸に引張力が加わると、力如何により、鎌片２０Ａ係合の外れ現象があり得る。そこで、このような外れ現象の際に機能するのが突堤部５５である。第２実施例の鎌片２０Ａの突堤部５５は、ピッチが小さい係合歯２７Ａから外れた係合爪片４０の爪部４４を最悪でも受け止める。
【００２９】
次に図８及び図９の主要部の第３実施例に於いて、前記第１実施例と主に異なる点は、前記第２実施例の構成に於いて、係合爪片４０Ａの爪部に改良を加えたことである。説明の便宜上、第２実施例の構成と同一の部分についは、同一の符号２７Ａ，５５を付す。第１実施例との相違点は次の通りである。
（ａ）ガタ防止の精度を高めるために係合歯２７Ａのピッチを小さく形成したこと、（ｂ）係合爪片４０Ａが係合歯２７Ａから外れた場合に於いても、係合爪片４０Ａを確実に受け止めることができるように、後端部寄りの部位に突堤部５５を形成したこと、（ｃ）係合爪片４０Ａの係合先端部４４に、連続的な係合歯２７Ａに同時に係合する第１爪部４４ａと、第２爪部４４ｂを形成したことである。
【００３０】
この第３実施例の場合には、本施錠時、係合爪片４０Ａの複数個の爪部４４ａ，４４ｂが、図９で示すように係合歯２７Ａに二箇所で同時係合するので、係合歯２７Ａのピッチが小さくても、係合の確実化を図ることができる。
【００３１】
次に図１０及び図１１は、本発明の第４実施例であるが、この第４実施例は利用発明の一例に過ぎない。したがって、本発明の第１実施例（特定要件）に限定した構成要件は、簡単に説明する。
【００３２】
６０はＬ型状の可動片で、この可動片６０の上端部には、仮施錠時、鎌片２０Ａの後端部寄りの部位に形成した連続的な第２係合歯２８と係脱可能な係合爪６１が突出形成されている。可動片６０は縦方向に垂直案内孔６２を有し、かつ、この垂直案内孔６２を貫通する横軸６３に軸支されている。横軸６３は錠ケース４のフロント５寄りの下端部に横設軸架されている。６４は可動片用バネで、このバネ６４は錠ケース４に適宜に内装され、仮施錠時、前記係合爪６１が連続的な第２係合歯２８のいずれか一つと係合するように付勢している。
【００３３】
６５は、引戸１がストライクＹに勢い良く衝突した場合に於いて、掛合状態になった鎌片２０Ａに引張り荷重がかかった時、前記可動片６０にかかった分力（鎌片と可動片にかかった力）を吸収する緩衝部材である。この緩衝部材６５は、錠ケース４内に適宜に固定された支持板６６と、先端部が可動片６０の垂直部に圧接するバネケース６７と、このバネケース６７に内装されたショック吸収ばね６８とから成る。
【００３４】
このように本発明は、第１実施例の本施錠機構に、第４実施例のような仮施錠機構を加味して利用することができる。なお、第４実施例の鎌片２０Ａは、例えば図１１で示すように、鎌片２０Ａの幅広後端部２５に、尻部の連続的な係合歯２７の他に、該係合歯２７から不番の非係合歯部分を境にして係合歯２７に比してややピッチが小さい連続的な第２係合歯２８が尻部寄りの部位に形成されている点に特徴がある。
【００３５】
最後に図１２は、、本発明の第５実施例であるが、この第５実施例は第１実施例の主要部に係止爪片４０用のバネ部材を加味しただけである。
【００３６】
すなわち、ガタ防止用係止爪片４０は、スライド本体部３１の下端部を案内する機能を有する固定軸４２に軸支され、かつ、該固定軸に設けられたバネ部材４３により、その係合先端部（爪部）４４が鎌片２０の係合歯２７に係合する方向に常時付勢されている。
【００３７】
したがって、この実施例の場合には、スライド操作板３０が下降した際に、その被係合部３５の上縁が係止爪片４０の係止ピン４１に係合する必要はない。それ故に、本実施例では、必ずしもスライド操作板３０の被係合部３５と係止爪片４０の係合関係を完全状態に考慮する必要はない。要は、ガタ防止用係止爪片４０が、錠ケース４に上下動可能に内装されたスライド操作片３０の移動により、鎌片２０の後端部に形成した連続的な係合歯２７に係合すれば良い。
【００３８】
【発明の効果】
以上の説明から明らかなように、本発明にあっては、次に列挙するような効果がある。
（１）施錠機構を構成する部品点数を極力必要最低限に削減し、かつ、簡単な機構と合理的手投によって、特に本施錠時に於いて、引戸の引張り方向のガタツキ防止を図ることができる。
（２）第２実施例或いは第３実施例に於いて、精密なガタツキ防止を図ることができる。
（３）ストライクの受板と引戸錠のフロントとの間に所定のチリ（例えば３ｍｍ以内の隙間）を設定した範囲内においても、本施錠時にチリに対応して係合爪片が鎌片の後端部に確実に係合してガタツキ防止を図ることができる。
（４）鎌片に連続的な第２係合歯を形成すると、利用発明を提案することができる。
【図面の簡単な説明】
図１乃至図５は本発明の第１実施例を示す各説明図。図６乃至図１１は本発明の主要部の変形例や利用発明を示す各説明図。図１２は本発明の主要部に構成要件を加味した実施例を示す説明図。
【図１】鎌片がストライクから外れた状態の一例を示す概略説明図（解錠状態）。
【図２】閉戸時の状態を示す説明図。但し、施錠状態ではない。
【図３】図２に於いて、スライド操作片が下降し、いわゆる本施錠状態になった場合の概略説明図（仮施錠状態は省略）。
【図４】主要部材の概略説明図（解錠状態では、係合爪片は鎌片から離れる）。
【図５】主要部材の概略説明図（施錠状態では鎌片に係合爪片が係合する）。
【図６】主要部を設計変更した第２実施例であり、図４と同様の図。
【図７】主要部を設計変更した第２実施例であり、図５と同様の図。
【図８】主要部を設計変更した第３実施例であり、図４と同様の図。
【図９】主要部を設計変更した第３実施例であり、図５と同様の図。
【図１０】第１実施例をそりまま利用した利用発明の一例を示す図１と同様の図。
【図１１】第１実施例をそりまま利用した利用発明の一例を示す図３と同様の図。
【図１２】本発明の主要部に構成要件を加味した実施例を示す説明図。
【符号の説明】
Ｘ…引戸錠、Ｙ…ストライク、１…引戸、２…戸枠、３…受板、４…錠ケース、５…フロント、６…蓋板、７…窓、８…出入口、１１…進退動部材、１２…先端部、１３…後端部、１５…バネ用支持孔、１７…ラック、１８…付勢バネ、２０，２０Ａ…鎌片、２１…ピニオン、２２…支軸、２４…鉤状先端部、２５…後端部、２７，２７Ａ…係合歯、２８…第２係合歯、３０…スライド操作板、３１…スライド本体部、３３…頭部、３４…取付け孔、３５…被係合部、４０…係止爪片、４１…係合後端部、４２…固定軸、４３…バネ部材、４４…係合先端部、４４ａ…第１爪部、４４ｂ…第２爪部、５１…スライド操作板用バネ、５５…突堤部、６０…可動片、６１…係合爪、６２…垂直案内孔、６３…横軸、６４…可動片用バネ、６５…緩衝部材、６８…ショック吸収ばね、ａ…若干の間隙（チリ）。
【図１】
0004460129.tif 000002
【図２】
0004460129.tif 000003
【図３】
0004460129.tif 000004
【図４】
0004460129.tif 000005
【図５】
0004460129.tif 000006
【図６】
0004460129.tif 000007
【図７】
0004460129.tif 000008
【図８】
0004460129.tif 000009
【図９】
0004460129.tif 000010
【図１０】
0004460129.tif 000011
【図１１】
0004460129.tif 000012
【図１２】
0004460129.tif 000013